(57)【特許請求の範囲】
【請求項１】
耐熱性金属板でなる外殻体内に断熱材を収容してなり、地下室の略水平な出入開口部に設けられる地下室用防火扉であって、外殻体内に断熱材として、地下室外側に気泡コンクリート材、地下室内側に無機質繊維材を配設収容してなり、外殻体の地下室外側面に熱絶縁シール材を介して把手具を取着固定したことを特徴とする地下室用防火扉。
【請求項２】
地下室内外に開口する枢支孔を外殻体及び気泡コンクリート材、無機質繊維材に貫通形成し、該枢支孔にロック軸体を回動自在に挿通し、該ロック軸体の地下室外側の一端に把手具の回動操作ハンドルを結合固着し、同ロック軸体の他端に回動操作されてロック受け具に着脱自在にロック係止するロック片を設けたことを特徴とする請求項１記載の地下室用防火扉。
【請求項３】
ロック軸体の外周面と枢支孔の内周面との間隙を密閉する耐熱性Ｏリングを同ロック軸体の外周に装着したことを特徴とする請求項２記載の地下室用防火扉。
【発明の詳細な説明】
【０００１】
【発明の属する技術分野】
本発明は、耐熱性金属板でなる外殻体内に断熱材を収容してなり、地下室の略水平な出入開口部に設けられる地下室用防火扉に関する。
【０００２】
【従来の技術】
従来から、耐熱性金属板でなる外殻体内に断熱材を収容してなる防火扉は知られている。該従来の防火扉にあっては、断熱材として気泡コンクリートが充填されたものが一般的であり、これによって、火炎の侵入が防止されると共に断熱性も保持される。
【０００３】
【発明が解決しようとする課題】
ところで、地下室が床下に設置されると、その出入開口部はスペースの関係で略水平とされることが多く、この場合、同略水平な出入開口部に設けられる地下室用防火扉は上下方向に回動されて開閉されることとなる。このような地下室用防火扉として、上記従来の防火扉を採用すると、次のような問題が発生する。
【０００４】
すなわち、上記従来の防火扉は、その内部に気泡コンクリートが充填されて重量物となるため、該防火扉を上下方向に回動させて開閉するには相当の力が必要で、同開閉動作は重くて困難なものとなる。しかも、ある程度の断熱性を保持するには、気泡コンクリートの充填量が多く必要で、前記の如く、重くなるだけでなく、コストアップにもつながる。
【０００５】
本発明は、上記従来の技術における問題を悉く解決するために発明されたもので、その課題は、耐火性、断熱性に富み、開閉動作も軽くて容易であり、製造コストを低減することができる地下室用防火扉を提供することである。
【０００６】
【課題を解決するための手段】
本発明の請求項１記載の地下室用防火扉は、耐熱性金属板でなる外殻体内に断熱材を収容してなり、地下室の略水平な出入開口部に設けられる地下室用防火扉であって、外殻体内に断熱材として、地下室外側に気泡コンクリート材、地下室内側に無機質繊維材を配設収容してなる。
【０００７】
したがって、この場合、地下室外側が外殻体の耐熱性金属板とその裏側の耐火性に富んだ気泡コンクリートとで形成されることになるため、この部分で火炎は遮断されて該火炎が地下室内へ侵入することは確実に防止され、十分な耐火性が確保される。しかも、耐熱性を有し断熱性も高い無機質繊維材が地下室内側に配され、該無機質繊維材と前記気泡コンクリートとが外殻体内に配設収容されるため、全体として十分な断熱性が確保される。
【０００８】
更に、前記の如く、全体を重量物となる気泡コンクリートで形成するのではなく、地下室内側では軽量で比較的安価な無機質繊維材が断熱材として収容されるため、地下室の略水平な出入開口部に設けられ、上下方向に回動されて開閉されるものであっても、該開閉動作は軽くて容易となり、製造コストの低減を図ることもできる。
【００１３】
更に、本発明の請求項１記載の地下室用防火扉は、外殻体の地下室外側面に熱絶縁シール材を介して把手具を取着固定したことを特徴としている。
【００１４】
したがって、この場合は特に、把手具を持って開閉することができるのはもちろんのこと、該把手具が外殻体の地下室外側面に熱絶縁シール材を介して取着固定されるため、該外殻体内部への熱伝達は確実に防止されて耐火性、断熱性が向上され、又、同取着固定部位でのシール性は火災後までにも維持されて、火災消化時の放水によっても該シール性が発揮され、水害時の水没の際にも同シール性は確保される。
【００１５】
本発明の請求項２記載の地下室用防火扉は、上記請求項１記載の地下室用防火扉において、地下室内外に開口する枢支孔を外殻体及び気泡コンクリート材、無機質繊維材に貫通形成し、該枢支孔にロック軸体を回動自在に挿通し、該ロック軸体の地下室外側の一端に把手具の回動操作ハンドルを結合固着し、同ロック軸体の他端に回動操作されてロック受け具に着脱自在にロック係止するロック片を設けたことを特徴としている。
【００１６】
したがって、この場合は特に、把手具の回動操作ハンドルを回動操作することで、ロック軸体の地下室内側端のロック片がロック受け具に着脱自在にロック係止されて、施錠・解錠が行われるものであり、該施錠・解錠操作と連続する作業として把手具を持ち開閉することができる。
【００１７】
本発明の請求項３記載の地下室用防火扉は、上記請求項２記載の地下室用防火扉において、ロック軸体の外周面と枢支孔の内周面との間隙を密閉する耐熱性Ｏリングを同ロック軸体の外周に装着したことを特徴としている。
【００１８】
したがって、この場合は特に、前記地下室内外に貫通する枢支孔の内周面と該枢支孔内に回動自在に挿通されるロック軸体の外周面との間の間隙が、該ロック軸体の外周に装着された耐熱性Ｏリングによって密閉されるため、該耐熱性Ｏリングは火災によっても焼失せず、同枢支孔での防水性が火災後までにも維持されて、火災消化時の放水によっても該防水性は発揮され、水害時の水没の際にも同防水性が確保される。
【００１９】
【発明の実施の形態】
図１〜４は、本発明の請求項１〜３全てに対応する一実施形態を示し、該実施形態の地下室用防火扉は、耐熱性金属板でなる外殻体１内に断熱材２を収容してなり、地下室の略水平な出入開口部３に設けられる地下室用防火扉であって、外殻体１内に断熱材２として、地下室外側に気泡コンクリート材４、地下室内側に無機質繊維材５を配設収容してなる。
【００２０】
この場合、外殻体１は下方へ開口した箱型の上部材1aと平板状の下部材1bとで形成され、該上部材1a内に気泡コンクリート材４及び無機質繊維材５が配設収容され、同下部材1bにて前記上部材1aの下方開口が閉塞されている。ここで、上部材1a及び下部材1bはいずれも厚さ寸法1.2mm の鋼板で形成され、外殻体１全体の厚さ寸法は約70mmとなる。又、気泡コンクリート材４は厚さ寸法36mmのオートクレーブ養生された軽量気泡コンクリート板（ＡＬＣ版）であり、無機質繊維材５は厚さ寸法25mmのロックウール板である。
【００２１】
そして、該実施形態の地下室用防火扉においては、金属製型材６が枠組みされてなる枠体７内に気泡コンクリート材４及び無機質繊維材５を積層配設し、同金属製型材６と外殻体１とを熱絶縁シール材８を介して結合固着している。この場合、金属製型材６は断面矩形状の鋼製型材であり、熱絶縁シール材８はセラミックシールである。
【００２２】
又、出入開口部３に外殻体１を開閉自在に枢支する該枢支軸方向と略直交する方向の補強桟材９を、無機質繊維材５でなる層内で枠体７の相対向する金属製型材６間に架設固定し、同補強桟材９にて気泡コンクリート材４を支持させてもいる。この場合、図３に示す如く、補強桟材９は断面矩形状の鋼製型材で無機質繊維材５でなる層内に均等間隔で三本配設されており、その際、該無機質繊維材５の層厚よりも同補強桟材９が厚くなっていて、同無機質繊維材５でなる層と気泡コンクリート材４でなる層との間に空気層が形成され、それ故、断熱性は向上されている。
【００２３】
更に、該実施形態の地下室用防火扉においては、外殻体１の地下室外側面に熱絶縁シール材８（セラミックシール）を介して把手具10を取着固定している。この場合、地下室内外に開口する枢支孔11を外殻体１の表裏両側及び気泡コンクリート材４、無機質繊維材５に貫通形成し、該枢支孔11にロック軸体12を回動自在に挿通し、該ロック軸体12の地下室外側の一端に把手具10の回動操作ハンドル13を結合固着し、同ロック軸体12の他端に回動操作されてロック受け具14に着脱自在にロック係止するロック片15を設けてもいる。しかも、ロック軸体12の外周面と枢支孔11の内周面との間隙を密閉する耐熱性Ｏリング16を同ロック軸体12の外周に装着している。
【００２４】
該実施形態における地下室は、図２に示す如く、地面17下に上方へ開口した箱型の地下室躯体18を埋設してなり、その際、該地下室躯体18の周辺で同地面17上にＡＬＣ材19が施されて固定されている。地下室躯体18の周壁部分はＦＲＰ（繊維強化プラスチック）で形成され、その上方開口部分に開口枠体20が固定されており、該開口枠体20は断面矩形状の鋼製型材が枠組みされてなる。開口枠体20の一辺にはヒンジ21を介して地下室用防火扉となる外殻体１が回動自在に枢着されており、該地下室用防火扉によって同開口枠体20でなる出入開口部３は開閉される。この場合、ヒンジ21によって、前記の如く、出入開口部３に外殻体１が開閉自在に枢支され、該ヒンジ21の枢支軸方向と略直交する方向に補強桟材９は並設される。なお、地下室躯体18の内部には、地下室内へ出入昇降するための階段22が配設されている。
【００２５】
又、該実施形態における地下室は床下に設置されており、該地下室の上方には床仕上げ材23が施工されていて、該床仕上げ材23と同地下室との間隔スペースの関係で該地下室の出入開口部３は略水平とされている。そして、地下室の出入開口部３と対応する位置で床仕上げ材23には床面開口が形成されており、該床面開口に開閉自在な床面扉24が設けられている。それ故、床面扉24を開けた状態にして、地下室用防火扉を上下方向に回動させ開閉することができる。なお、床面扉24は、厚さ寸法24mmの木質合板25の裏面に厚さ寸法3mm の石綿板26、同木質合板25の表面に前記床仕上げ材23と同じ板材が貼着されてなり、該床面扉24の裏側には地下室用防火扉の把手具10が納まる凹所27が形成されている。
【００２６】
又、該実施形態の地下室用防火扉においては、図１に示す如く、外殻体１の前記箱型の上部材1a内に枠体７を収容固定するに際し、該上部材1aの内底面と金属製型材６との間に前記熱絶縁シール材８が介在されると共に、該金属製型材６と同上部材1aの周壁内面との間に不燃熱絶縁材28（厚さ寸法6mm のフレキシブルボード）が介在され、リベットやネジのような固着具29によって同金属製型材６と上部材1aとは結合固定されている。そして、枠体７内に板状の気泡コンクリート材４及び無機質繊維材５が積層配設され、前記上部材1aの下方開口は下部材1bによって閉塞される。その際、金属製型材６と下部材1bとの間にも不燃熱絶縁材28が介在され、該下部材1bは同金属製型材６に固着具29で結合固定されている。
【００２７】
又、把手具10は回動操作ハンドル13を含む全体が亜鉛合金でなり、該把手具10の台座部30が前記熱絶縁シール材８を介して外殻体１の地下室外側面にビス31で取着固定されている。この場合、外殻体１の上部材1aの裏側に鋼板でなる補強裏板32が配され、該補強裏板32と同上部材1aとの間及び該上部材1aと台座部30との間に各々熱絶縁シール材８が介在され、同補強裏板32にビス31が螺合されて取着固定されている。なお、補強裏板32は上部材1aに対し別途に固着具29でも結合固定されており、又、把手具10の回動操作ハンドル13は台座部30に対し回動自在なものである。
【００２８】
そして、把手具10は外殻体１の表裏に同様に配設固定されており、両者の回動操作ハンドル13がロック軸体12によって連動するように結合されている。ロック軸体12は枢支孔11内に挿通されているが、該枢支孔11の内周には前記補強裏板32と一体化された鋼管でなる円筒体33が内装されており、該円筒体33内に同ロック軸体12は回動自在に嵌合されている。又、ロック軸体12は表側の軸体12ａと裏側の軸体12ｂとを軸ジョイント34で連結してなり、該軸ジョイント34の外周に耐熱性Ｏリング16が装着されている。この場合、両軸体12ａ、12ｂは鋼製角軸材でなり、軸ジョイント34は熱絶縁性及び耐熱性に富むポリアセタールで形成され、耐熱性Ｏリング16はシリコンゴムにて形成されている。
【００２９】
又、裏側の把手具10には、回動操作ハンドル13と一体的に回動されるロック片15が該回動操作ハンドル13の反対側に突設されており、該ロック片15が着脱自在にロック係止されるロック受け具14が、前記地下室の出入開口部３となる開口枠体20の内側に付設されている。又、開口枠体20の外側面には不燃熱絶縁材28が層設されており、同開口枠体20の上面には戸当たり受け部材35が取着固定されている。その際、開口枠体20と戸当たり受け部材35との間にも、不燃熱絶縁材28をその上下の熱絶縁シール材８で挟持した構造が介在されて、同開口枠体20の上面に戸当たり受け部材35はビス固定されている。戸当たり受け部材35の上側には、その内周側にシリコンゴム定形シール材でなるガスケット36が、その外周側にグラファイトでなる耐火発泡目地材37が配設されている。
【００３０】
この場合、出入開口部３は地下室用耐火扉によって確実に密閉され、両者間における熱伝達も防止される。又、前記開口枠体20と戸当たり受け部材35との固定結合部位の外側周、及び、外殻体１の上部材1aの開口内周と下部材1bの外周縁との間には、各々シリコンでなるシール材38が充填されており、該シール材38によってシール性は確保される。又、外殻体１の上部材1aの下方開口縁には水切り片39が垂下延設されており、これによって、前記ガスケット36等のパッキン部材が万一焼失しても、防水性は確保されることになる。
【００３１】
したがって、該実施形態の地下室用防火扉においては、地下室外側が外殻体１の耐熱性金属板でなる上部材1aとその裏側の耐火性に富んだ気泡コンクリート４とで形成されることになるため、この部分で火炎は遮断されて該火炎が地下室内へ侵入することは確実に防止され、十分な耐火性が確保される。しかも、耐熱性を有し断熱性も高い無機質繊維材５が地下室内側に配され、該無機質繊維材５と前記気泡コンクリート４とが外殻体１内に配設収容されるため、全体として十分な断熱性が確保される。
【００３２】
更に、前記の如く、全体を重量物となる気泡コンクリート４で形成するのではなく、地下室内側では軽量で比較的安価な無機質繊維材５が断熱材２として収容されるため、地下室の略水平な出入開口部３に設けられ、上下方向に回動されて開閉されるものであっても、該開閉動作の駆動力は軽くて容易となり、製造コストの低減を図ることもできる。
【００３３】
又、該実施形態の地下室用防火扉においては、気泡コンクリート材４や無機質繊維材５等の断熱材２が金属製型材６でなる枠体７で囲まれて外殻体１内に積層配設されるため、これ等断熱材２の破損が防止されて全体としての強度も確保される。しかも、前記金属製型材６と外殻体１とは熱絶縁シール材８を介して結合固着されるため、該外殻体１内部への熱伝達が確実に防止されて耐火性、断熱性は向上され、図４に示す如く、同結合固着部位でのシール性が火災後までにも維持されて、火災消化時の放水によっても該シール性は発揮され、水害時の水没の際にも同シール性が確保される。
【００３４】
又、該実施形態の地下室用防火扉においては、比較的脆弱な無機質繊維材５が収容されるものであっても、ヒンジ21の枢支軸を中心に上下方向に回動させて開閉している際に撓み易い方向となる同方向の補強桟材９が、同無機質繊維材５でなる層内で枠体７の相対向する金属製型材６間に架設固定されるため、同開閉時の撓み変形は防止され、全体としての強度が向上される。しかも、重量物となる気泡コンクリート材４が前記補強桟材９上に支持されるため、該気泡コンクリート材４は強固に支持固定され、その破損が確実に防止されることになる。
【００３５】
又、該実施形態の地下室用防火扉においては、把手具10を持って開閉することができるのはもちろんのこと、該把手具10が外殻体１の地下室外側面に熱絶縁シール材８を介して取着固定されるため、該外殻体１内部への熱伝達は確実に防止されて耐火性、断熱性が向上される。又、図４に示す如く、火災により表側の把手具10等が融解焼失しても、該把手具10の取着固定部位における外殻体１でのシール性は維持されて、火災消化時の放水によっても該シール性が発揮され、水害時の水没の際にも同シール性は確保される。
【００３６】
又、該実施形態の地下室用防火扉においては、把手具10の回動操作ハンドル13を回動操作することで、ロック軸体12の地下室内側端のロック片15がロック受け具14に着脱自在にロック係止されて、施錠・解錠が行われ、その際、該施錠・解錠操作と連続する作業として同把手具10の回動操作ハンドル13を持ち開閉することができる。しかも、この場合、地下室内外に貫通する枢支孔11の円筒体33の内周面と該円筒体33内に回動自在に挿通されるロック軸体12の外周面との間の間隙が、該ロック軸体12の軸ジョイント34の外周に装着された耐熱性Ｏリング16によって密閉されるため、該耐熱性Ｏリング16は火災によっても焼失せず、同枢支孔11での防水性が火災後までにも維持されて、火災消化時の放水によっても該防水性は発揮され、水害時の水没の際にも同防水性が確保される。すなわち、図４に示す如く、表側の把手具10等が融解焼失しても、ロック軸体12や耐熱性Ｏリング16等は損傷なく残存し、防水性が確保されるのである。
【００３７】
【発明の効果】
上述の如く、本発明の請求項１記載の地下室用防火扉においては、地下室外側で火炎が遮断されて十分な耐火性を確保することができ、全体として十分な断熱性を確保することもでき、更に、地下室の略水平な出入開口部に設けられるものであっても、開閉動作は軽くて容易となり、製造コストの低減を図ることもできる。
【００４０】
更に、請求項１記載の地下室用防火扉においては、特に、把手具を持って開閉することができるのはもちろんのこと、該把手具の取着固定部位で、熱絶縁シール材によって耐火性、断熱性を向上させると共にシール性を確保することもできる。
【００４１】
又、本発明の請求項２記載の地下室用防火扉においては、特に、把手具の回動操作ハンドルを回動操作することで施錠・解錠が行われ、該施錠・解錠操作と連続する作業として同把手具を持ち開閉することができる。
【００４２】
又、本発明の請求項３記載の地下室用防火扉においては、特に、焼失し難い耐熱性Ｏリングによって、枢支孔での防水性を火災後までにも維持させ確保することができる。
【図面の簡単な説明】
【図１】本発明の一実施形態である地下室用防火扉の要部を示す断面図。
【図２】同地下室用防火扉の施工状態全体を示す断面図。
【図３】同施工状態全体を示す異なる方向での断面図。
【図４】火災後における同地下室用防火扉の要部を示す断面図。
【符号の説明】
１  外殻体
２  断熱材
３  出入開口部
４  気泡コンクリート材
５  無機質繊維材
６  金属製型材
７  枠体
８  熱絶縁シール材
９  補強桟材
10  把手具
11  枢支孔
12  ロック軸体
13  回動操作ハンドル
14  ロック受け具
15  ロック片
【図１】
0003711826.tif 000002
【図２】
0003711826.tif 000003
【図３】
0003711826.tif 000004
【図４】
0003711826.tif 000005